(57)【要約】【課題】複数対の放電管に流れる電流を均一に保持し、一部の放電管が点灯しない状態で維持されることを防止すること。【解決手段】インバータ１１１は、電流検出トランス１１５から帰還される電流検出値に基づいて出力信号を制御する。インバータトランス１１２は、インバータ１１１に接続されている１次巻線１１２１を有する。インバータトランス１１２は、冷陰極管１２０に交流高電圧を供給する２次巻線１１２２、１１２３、１１２４、１１２５を有する。バランストランス１１３、１１４の１次巻線１１３１、１１４１は、前記２次巻線１１２２、１１２３、１１２４、１１２５に直列に接続されている。バランストランス１１３、１１４の２次巻線１１３２、１１４２は、直列に接続されてループを形成している。【選択図】図１
2008066256.tif 000002
【特許請求の範囲】
【請求項１】
交流電圧を出力する電源供給部と、
前記電源供給部の出力端子に接続されている１つの１次巻線と該当１次巻線により交流高電圧を誘起され複数対の放電管に前記交流高電圧を供給する複数対の２次巻線を有するインバータトランスと、
前記インバータトランスの１対の２次巻線の間に直列に接続されている１次巻線と前記１次巻線に対応する２次巻線とを有する複数のバランストランスとを含み、
前記バランストランスの各々の２次巻線は直列に接続されてループを形成することを特徴とするインバータ回路。
【請求項２】
ループを形成する前記複数のバランストランスの２次巻線はグランドに接続されていることを特徴とする請求項１に記載のインバータ回路。
【請求項３】
前記複数のバランストランスの前記２次巻線の電流値に基いた電流検出値を前記電源供給部に提供し前記電源供給部の出力電圧を制御することを特徴とする請求項１に記載のインバータ回路。
【請求項４】
１次巻線は前記複数のバランストランスの前記２次巻線に直列に接続されており、２次巻線は前記電源供給部に接続されて前記複数のバランストランスの前記２次巻線の電流値に基いた電流検出値を前記電源供給部に提供する電流検出トランスをさらに含むことを特徴とする請求項３に記載のインバータ回路。
【請求項５】
前記複数のバランストランスに流れる電流値に基いて異常を検出する異常検出装置をさらに含み、前記複数のバランストランスは３次巻線をさらに含み、
前記異常検出装置は、
前記複数の３次巻線のうち隣り合う１対の３次巻線に発生する交流電圧を互いに相殺するように該当１対の３次巻線が直列に接続され該当１対の３次巻線の直列接続体の一端が前記２次巻線のループに接続されている複数の３次巻線と、
前記１対の３次巻線の前記直列接続体の一端に入力端子が接続され当該１対の３次巻線の前記直列接続体に流れる電流を検出して電流検出値を生成するダイオードと、
前記ダイオードの出力端子に接続され当該ダイオードに流れる前記電流検出値又は当該電流検出値を変換して求められる電圧検出値と所定の閾値とを比較して異常であるか否かを判断して判断結果を生成する異常検出器と、
前記異常検出器の前記判断結果を報知する報知装置と、を具備することを特徴とするインバータ回路。
【請求項６】
前記インバータトランスの前記複数対の２次巻線における前記複数の放電管と接続のための放電管用接続ピンは前記インバータトランスの一方の側に配置され、かつ、前記インバータトランスの前記複数対の２次巻線における前記複数のバランストランスと接続のためのバランストランス用接続ピンは前記インバータトランスの前記放電管用接続ピンとは反対の側に配置されていることを特徴とする請求項５に記載のインバータ回路。
【請求項７】
前記インバータトランスは、
２対の放電管に前記交流高電圧を供給する２対の２次巻線を具備し、
前記インバータトランスの１対の２次巻線の間に直列に接続されている１次巻線と当該１次巻線に対応する２次巻線を有する２つのバランストランスとを含み、
前記２つのバランストランスの各々の２次巻線は互いに直列に接続されてループを形成することを特徴とする請求項１に記載のインバータ回路。
【請求項８】
前記インバータトランスは、
３対の放電管に前記交流高電圧を供給する３対の２次巻線を具備し、
前記インバータトランスの１対の２次巻線の間に直列に接続されている１次巻線と当該１次巻線に対応する２次巻線を有する３つのバランストランスを含み、
前記３つのバランストランスの各々の２次巻線は互いに直列に接続されてループを形成することを特徴とする請求項１に記載のインバータ回路。
【請求項９】
前記複数のバランストランスの個数は前記インバータトランスの２次巻線の対の数に前記インバータトランスの個数を掛けた値と同じであることを特徴とする請求項１に記載のインバータ回路。
【請求項１０】
交流高電圧を出力する電源供給部と、
前記電源供給部の出力端子に接続されている１つの１次巻線と該当１次巻線により交流高電圧が誘起され複数対の放電管に前記交流高電圧を供給する複数対の２次巻線を有する第１インバータトランスと、
前記電源供給部の出力端子に接続されている１つの１次巻線と該当１次巻線により交流高電圧が誘起され複数対の放電管に前記交流高電圧を供給する複数対の２次巻線を有する第２インバータトランスと、
前記第１及び第２インバータトランスの１対の２次巻線の間に直列に接続されている１次巻線と前記１次巻線に対応する２次巻線とを有する複数のバランストランスとを含み、
前記バランストランスの各々の２次巻線は直列に接続されてループを形成することを特徴とするインバータ回路。
【請求項１１】
ループを形成する前記複数のバランストランスの２次巻線はグランドに接続されていることを特徴とする請求項１０に記載のインバータ回路。
【請求項１２】
前記複数のバランストランスの前記２次巻線の電流値に基いた電流検出値を前記電源供給部に提供して前記電源供給部の出力電圧を制御することを特徴とする請求項１０に記載のインバータ回路。
【請求項１３】
１次巻線は前記複数のバランストランスの前記２次巻線に直列に接続されており、２次巻線は前記電源供給部に接続されて前記複数のバランストランスの前記２次巻線の電流値に基いた電流検出値を前記電源供給部に提供する電流検出トランスをさらに含むことを特徴とする請求項１０に記載のインバータ回路。
【請求項１４】
前記複数のバランストランスの個数は前記インバータトランスの２次巻線の対の数に前記インバータトランスの個数を掛けた値と同じであることを特徴とする請求項１０に記載のインバータ回路
【請求項１５】
第１交流高電圧を出力する第１電源供給部と、
第２交流高電圧を出力する第２電源供給部と、
前記第１電源供給部の出力端子に接続されている１つの１次巻線と該当１次巻線により交流高電圧が誘起され複数対の放電管に前記第１交流高電圧を供給する複数対の２次巻線とを有する第１インバータトランスと、
前記第２電源供給部の出力端子に接続されている１つの１次巻線と該当１次巻線により交流高電圧が誘起され複数対の放電管に前記第２交流高電圧を供給する複数対の２次巻線とを有する第２インバータトランスと、
前記第１及び第２インバータトランスの各々の１対の２次巻線に直列に接続されている１次巻線と前記１次巻線に対応する２次巻線とを有する複数のバランストランスとを具備し、前記複数のバランストランスの２次巻線は互いに直列に接続されてループを形成することを特徴とするインバータ回路。
【請求項１６】
ループを形成する前記複数のバランストランスの２次巻線はグランドに接続されていることを特徴とする請求項１５に記載のインバータ回路。
【請求項１７】
前記複数のバランストランスの前記２次巻線の電流値に基いた電流検出値を前記電源供給部に提供して前記電源供給部の出力電圧を制御することを特徴とする請求項１６に記載のインバータ回路。
【請求項１８】
１次巻線は前記複数のバランストランスの前記２次巻線に直列に接続されており、２次巻線は前記第１及び第２電源供給部に接続され前記複数のバランストランスの前記２次巻線の電流値に基いた電流検出値を前記電源供給部に提供する電流検出トランスをさらに含むことを特徴とする請求項１７に記載のインバータ回路。
【請求項１９】
前記複数のバランストランスに流れる電流値に基いて異常を検出する異常検出装置をさらに含み、前記複数のバランストランスは３次巻線をさらに含み、
前記異常検出装置は、
前記複数の３次巻線のうち隣り合う１対の３次巻線に発生する交流電圧を互いに相殺するように該当１対の３次巻線が直列に接続され該当１対の３次巻線の直列接続体の一端が前記２次巻線のループに接続されている複数の３次巻線と、
前記１対の３次巻線の前記直列接続体の一端に入力端子が接続されて当該１対の３次巻線の前記直列接続体に流れる電流を検出して電流検出値を生成するダイオードと、
前記ダイオードの出力端子に接続され当該ダイオードに流れる前記電流検出値又は当該電流検出値を変換して求められる電圧検出値と所定の閾値とを比較して異常であるか否かを判断して、判断結果を生成する異常検出器と、
前記異常検出器の前記判断結果を報知する報知装置とを具備することを特徴とするインバータ回路。 
【請求項２０】
前記インバータトランスの前記複数対の２次巻線における前記複数の放電管と接続のための放電管用接続ピンは前記インバータトランスの一方の側に配置され、かつ、前記インバータトランスの前記複数対の２次巻線における前記複数のバランストランスと接続のためのバランストランス用接続ピンは前記インバータトランスの前記放電管用接続ピンとは反対の側に配置されていることを特徴とする請求項１９に記載のインバータ回路。
【請求項２１】
複数の放電管と、
交流電圧を出力する電源供給部と、
前記電源供給部の出力端子に接続されている１つの１次巻線と該当１次巻線により交流高電圧が誘起され前記複数の放電管に前記交流高電圧を供給する複数対の２次巻線を有するインバータトランスと、
前記インバータトランスの１対の２次巻線の間に直列に接続されている１次巻線と前記１次巻線に対応する２次巻線とを有する複数のバランストランスとを含み、
前記複数のバランストランスの各々の２次巻線は直列に接続されてループを形成することを特徴とするバックライト装置。
【請求項２２】
ループを形成する前記複数のバランストランスの２次巻線はグランドに接続されていることを特徴とする請求項２１に記載のインバータ回路。
【請求項２３】
前記複数のバランストランスの前記２次巻線の電流値に基いた電流検出値を前記電源供給部に提供して前記電源供給部の出力電圧を制御することを特徴とする請求項２１に記載のインバータ回路。
【請求項２４】
１次巻線は前記複数のバランストランスの前記２次巻線に直列に接続されており、２次巻線は前記電源供給部に接続され前記複数のバランストランスの前記２次巻線の電流値に基いた電流検出値を前記電源供給部に提供する電流検出トランスをさらに含むことを特徴とする請求項２３に記載のインバータ回路。
【発明の詳細な説明】
【技術分野】
【０００１】
本発明は、液晶表示装置の光源に使用する複数の冷陰極管等の放電管を点灯させるインバータ回路及びこのインバータ回路を備えたバックライト装置に関するものである。
【０００２】
以下に記述した放電管は、主として冷陰極管を対象としたものであるが、本発明は、冷陰極管に限られず、交流高電圧を必要とする複数の放電管を点灯するシステムにおいて実施することが可能である。放電管は、冷陰極管に限定して解釈されるものではない。
【背景技術】
【０００３】
従来、液晶表示装置(ＬＣＤ)は軽量、薄型及び低消費電力駆動などの機能が求められてきた。液晶表示装置は自発光表示装置ではないから光源が必要になる。光源としては冷陰極管が使用されている。
【０００４】
冷陰極管は、蛍光ランプの一種であり正規グロー放電領域で動作する蛍光ランプである。冷陰極管は交流高電圧を印加することにより点灯する。冷陰極管はフィラメントによって予熱する方法に依らないため、熱陰極管と比較すると耐振動性が高く、ランプの径を細くすることが可能で、ランプ寿命が長いという特徴を有する。冷陰極管は、他方でフィラメントにより予熱をしないために印加電圧を高くする必要がある。
【０００５】
冷陰極管を点灯させるための交流高電圧を発生させる回路としてはインバータ回路が用いられる。
【０００６】
図１２に示すように、複数の冷陰極管を点灯させるための従来のインバータ回路として、第１及び第２のインバータ１１、１２、第１のグループの第１及び第２のインバータトランス１３、１４、第２のグループの第１及び第２のインバータトランス１５、１６、並びに、第１及び第２の電流検出トランス１７、１８を具備しているものがある。
【０００７】
第１及び第２のインバータ１１、１２は、第１及び第２の電流検出トランス１７、１８から帰還される電流検出値に基づいて出力信号を制御する。第１のグループの第１のインバータトランス１３は、第１のインバータ１１の出力端子に接続されている１つの１次巻線１３ａを有している。また、第１のグループの第１のインバータトランス１３は、１次巻線１３ａにより交流高電圧を誘起され２対の冷陰極管２０に前記交流高電圧を供給する２対の２次巻線１３ｂ、１３ｃ、１３ｄ、１３ｅを有している。
【０００８】
第１のグループの第２のインバータトランス１４は、第１のインバータ１１の出力端子に接続されている１つの１次巻線１４ａを有している。第１のグループの第２のインバータトランス１４は、１次巻線１４ａにより交流高電圧を誘起され２対の冷陰極管２０に前記交流高電圧を供給する２対の２次巻線１４ｂ、１４ｃ、１４ｄ、１４ｅを有している。
【０００９】
第１の電流検出トランス１７は、第１のグループの第２のインバータトランス１４の１対の２次巻線１４ｄ、１４ｅに直列に接続されている１次巻線１７ａを有している。第１の電流検出トランス１７は、第１のインバータ１１とグランドＧＮＤとの間に接続され電流検出値を生成して第１のインバータ１１に与える２次巻線１７ｂを有している。
【００１０】
第２のグループの第１のインバータトランス１５は、第２のインバータ１２の出力端子に接続されている１つの１次巻線１５ａを有している。第２のグループの第１のインバータトランス１５は、１次巻線１５ａにより交流高電圧を誘起され２対の冷陰極管２０に前記交流高電圧を供給する２対の２次巻線１５ｂ、１５ｃ、１５ｄ、１５ｅを有している。
【００１１】
第２のグループの第２のインバータトランス１６は、第２のインバータ１２の出力端子に接続されている１つの１次巻線１６ａを有している。第２のグループの第２のインバータトランス１６は、１次巻線１６ａにより交流高電圧を誘起され２対の冷陰極管２０に前記交流高電圧を供給する２対の２次巻線１６ｂ、１６ｃ、１６ｄ、１６ｅを有している。
【００１２】
第２の電流検出トランス１８は、第２のグループの第２のインバータトランス１６の１対の２次巻線１６ｄ、１６ｅに直列に接続されている１次巻線１８ａを有している。第２の電流検出トランス１８は、第２のインバータ１２とグランドＧＮＤとの間に接続され電流検出値を生成して第２のインバータ１２に与える２次巻線１８ｂを有している。
【００１３】
また、従来のインバータ回路を有する管電流平衡化回路として、特許文献１に記載されているものがある。この管電流平衡化回路は、インバータ回路の負荷となる並列接続された複数の放電管と、該放電管の管電流を均一化するバランスコイルを備えた管電流平衡化回路において、前記放電管は、通電時に等価抵抗値が５０キロオーム以上の冷陰極管であり、前記バランスコイルは同じ巻数の２つの巻線を具備し、該バランスコイルの自己共振周波数がインバータ回路のインバータトランスの動作周波数の１．５倍以上になるように高く設定されているように構成されている。
【特許文献１】特開２００５−３１７２５３号公報
【発明の開示】
【発明が解決しようとする課題】
【００１４】
しかしながら、従来のインバータ回路においては、冷陰極管（放電管）のインピーダンスのばらつき、インバータトランス間のばらつき、及び、インバータトランスの１次巻線と２次巻線の比のばらつきにより、１つの冷陰極管（放電管）の電流をインバータに帰還しても、複数の他の冷陰極管（放電管）の電流が等しくならないため輝度のむらが生じるという問題がある。
【００１５】
また、従来のインバータ回路においては、冷陰極管（放電管）は起動時に通常の点灯より大きい電圧（起動電圧）が必要である場合が多いため、第１及び第２の電流検出トランス１７、１８が接続されたインバータトランスの２次巻線の接続された冷陰極管（放電管）が点灯し、このインバータトランスが接続されているインバータに接続された一部の冷陰極管（放電管）が点灯していない状態が過渡的に発生すると、電流の帰還の作用によりインバータトランスの起動電流が安定状態となるから、起動していない２次巻線の電圧が起動電圧に達せずに当該一部の冷陰極管（放電管）が点灯しない状態を維持してしまう場合があるという問題がある。
【００１６】
また、従来のインバータ回路においては、インバータトランスの２次巻線に電流検出の配線が必要であるためインバータトランスの２次巻線を相似に配線設計をすることができないから、電流の均一化の妨げになるという問題がある。
【００１７】
本発明の目的は、複数対の冷陰極管に流れる電流を複数のバランストランスの作用により均一に保持し、過渡的に複数対の冷陰極管の一部の起動電圧が不足する時でも複数のバランストランスが起動電圧の不足分を補償するから一部の冷陰極管が点灯しない状態で維持されることを防止し、かつ、インバータトランスの２次巻線に電流検出の配線が不要であるためインバータトランスの２次巻線を相似に配線設計をすることが容易になるインバータ回路及びこれを備えたバックライト装置を提供することにある。
【課題を解決するための手段】
【００１８】
本発明によると、インバータ回路は、交流電圧を出力する電源供給部と、前記電源供給部の出力端子に接続されている１つの１次巻線と該当１次巻線により交流高電圧を誘起され複数対の放電管に前記交流高電圧を供給する複数対の２次巻線を有するインバータトランスと、前記インバータトランスの１対の２次巻線の間に直列に接続されている１次巻線と前記１次巻線に対応する２次巻線とを有する複数のバランストランスとを含む。
【００１９】
この実施形態において、前記バランストランスの各々の２次巻線は直列に接続されてループを形成し、ループを形成する前記複数のバランストランスの２次巻線はグランドに接続されている。
【００２０】
この実施形態において、前記複数のバランストランスの前記２次巻線の電流値に基いた電流検出値を前記電源供給部に提供し前記電源供給部の出力電圧を制御する。
【００２１】
この実施形態において、１次巻線は前記複数のバランストランスの前記２次巻線に直列に接続されており、２次巻線は前記電源供給部に接続されて前記複数のバランストランスの前記２次巻線の電流値に基いた電流検出値を前記電源供給部に提供する電流検出トランスをさらに含む。
【発明の効果】
【００２２】
本発明によれば、複数対の冷陰極管に流れる電流を複数のバランストランスの作用により均一に保持し、過渡的に複数対の冷陰極管の一部の起動電圧が不足する時でも複数のバランストランスが起動電圧の不足分を補償するから一部の冷陰極管が点灯しない状態で維持されることを防止し、かつ、インバータトランスの２次巻線に電流検出の配線が不要であるためインバータトランスの２次巻線を相似に配線設計をすることが容易になる。
【発明を実施するための最良の形態】
【００２３】
以下、図面を参照して本発明の望ましい実施の形態を詳細に説明する。但し、本発明は、多くの異なる態様で実施することが可能であり、以下に示す実施の形態に限定して解釈されるものではない。
【００２４】
（実施の形態１）
図１は、本発明の実施の形態１に係るインバータ回路及びバックライト装置を示す回路図である。
【００２５】
図１に示すように、本発明の実施の形態１に係るバックライト装置１００は、インバータ回路１１０及び２対の冷陰極管（放電管）１２０を具備している。
【００２６】
インバータ回路１１０は、１つのインバータ１１１、１つのインバータトランス１１２、２つのバランストランス１１３、１１４及び電流検出トランス１１５を具備している。
【００２７】
インバータ１１１は、電流検出トランス１１５から帰還される電流検出値に基づいて出力信号を制御する。インバータトランス１１２は、インバータ１１１の出力端子に接続されている１つの１次巻線１１２１を有している。また、インバータトランス１１２は、２対の冷陰極管１２０の一端部に接続されている２対の２次巻線１１２２、１１２３、１１２４、１１２５を有している。インバータトランス１１２の２対の２次巻線１１２２、１１２３、１１２４、１１２５は、１次巻線１１２１により交流高電圧を誘起され２対の冷陰極管１２０に前記交流高電圧を供給する。２対の冷陰極管１２０の他端部は、グランドＧＮＤに接続されている。
【００２８】
冷陰極管１２０は高電圧で駆動されるところから、冷陰極管１２０から輻射される静電ノイズが大きい。この静電ノイズは液晶表示装置に影響を与えることから、冷陰極管１２０を１８０度位相の異なる出力で駆動し、冷陰極管１２０から輻射される静電ノイズを相殺することが望ましい。この図１に示した実施の形態１においては、隣り合う冷陰極管１２０は１８０度位相が異なる電圧によって駆動されることにより、冷陰極管１２０から輻射される静電ノイズが相互に相殺され、液晶表示装置への影響が少なくなる。
【００２９】
バランストランス１１３の１次巻線１１３１は、インバータトランス１１２の２次巻線１１２２、１１２３に直列に接続されている。バランストランス１１４の１次巻線１１４１は、インバータトランス１１２の２次巻線１１２４、１１２５に直列に接続されている。
【００３０】
２つのバランストランス１１３、１１４の２次巻線１１３２、１１４２は、直列に接続されてループを形成している。２つのバランストランス１１３、１１４の２次巻線１１３２、１１４２のループの一部は、グランドＧＮＤに接続されている。
【００３１】
電流検出トランス１１５の１次巻線１１５１は、２つのバランストランス１１３、１１４の２次巻線１１３２、１１４２に直列に接続されている。電流検出トランス１１５の２次巻線１１５２は、インバータ１１１とグランドＧＮＤと間に接続されている。電流検出トランス１１５の２次巻線１１５２は、１次巻線１１５１により誘起される電流を前記電流検出値として生成しインバータ１１１に与える。
【００３２】
図２は、本発明の実施の形態１に係るインバータを示すブロック図である。図２に示すように、インバータ１１１は、電流電圧変換回路１１１１、基準電圧生成回路１１１２、比較回路１１１３、パルス発生回路１１１４及びスイッチング回路１１１５を具備している。
【００３３】
電流電圧変換回路１１１１の入力端子は、電流検出トランス１１５の２次巻線１１５２に接続されている。電流電圧変換回路１１１１の出力端子は、比較回路１１１３の１つの入力端子に接続されている。基準電圧生成回路１１１２の出力端子は、比較回路１１１３の他の入力端子に接続されている。
【００３４】
比較回路１１１３の出力端子は、パルス発生回路１１１４の入力端子に接続されている。スイッチング回路１１１５の出力端子は、インバータトランス１１２の１次巻線１１２１に接続されている。
【００３５】
電流電圧変換回路１１１１は、電流検出トランス１１５からの電流検出値を電圧検出値に変換して比較回路１１１３に与える。比較回路１１１３は、電流電圧変換回路１１１１からの電圧検出値と基準電圧生成回路１１１２からの基準電圧とを比較してこれらの差電圧を生成してパルス発生回路１１１に与える。
【００３６】
パルス発生回路１１１は、比較回路１１１３からの差電圧に応じて制御されたパルス幅を有するパルス信号を発生してスイッチング回路１１１５に与える。スイッチング回路１１１５は、パルス発生回路１１１からのパルス信号に基づいて交流電圧を生成してインバータトランス１１２の１次巻線１１２１に与える。
【００３７】
このように、インバータ１１１は、複数のバランストランス１１３、１１４の２次巻線１１３２、１１４２に直列に接続されている電流検出トランス１１５から帰還される電流検出値に基づいて出力信号の交流電圧を制御するため、インバータトランス１１２の１次巻線１１２１に適正な交流電圧を与えることができる。
【００３８】
本発明の実施の形態１によれば、１次巻線がインバータトランスの２次巻線に直列に接続され、かつ、２次巻線が直列に接続されてループを形成し、かつ、２次巻線のループの一部がグランドに接続された２つのバランストランス１１３、１１４を具備しているため、２対の冷陰極管１２０に流れる電流を２つのバランストランス１１３、１１４の作用により均一に保持する。
【００３９】
また、本発明の実施の形態１によれば、２つのバランストランス１１３、１１４を具備しているため、過渡的に２対の冷陰極管１２０の一部の起動電圧が不足する時でも２つのバランストランス１１３、１１４が起動電圧の不足分を補償するから、一部の冷陰極管１２０が点灯しない状態で維持されることがない。
【００４０】
本発明の実施の形態１によれば、インバータトランスの２次巻線に電流検出の配線が不要であるため、インバータトランスの２次巻線を相似に配線設計をすることが容易になる。
【００４１】
（実施の形態２）
次に、本発明の実施の形態２について、図面を参照して詳細に説明する。図３は、本発明の実施の形態２に係るインバータ回路及びバックライト装置を示す回路図である。本発明の実施の形態２においては、本発明の実施の形態１と同じ構成要素には同じ参照符号を付してその説明を省略する。
【００４２】
図３に示すように、本発明の実施の形態２に係るバックライト装置２００は、インバータ回路２１０及び４対の冷陰極管（放電管）１２０を具備している。
【００４３】
インバータ回路２１０は、１つのインバータ１１１、２つのインバータトランス１１２、２１１、４つのバランストランス１１３、１１４、２１２、２１３及び電流検出トランス１１５を具備している。
【００４４】
インバータトランス２１１は、インバータ１１１の出力端子に接続されている１つの１次巻線２１１１を有している。インバータトランス２１１は、インバータ１１１に対しインバータトランス１１２と並列に接続されている。また、インバータトランス２１１は、２対の冷陰極管１２０の一端部に接続されている２対の２次巻線２１１２、２１１３、２１１４、２１１５を有している。インバータトランス２１１の２対の２次巻線２１１２、２１１３、２１１４、２１１５は、１次巻線２１１１により交流高電圧を誘起され２対の冷陰極管１２０に前記交流高電圧を供給する。２対の２次巻線２１１２、２１１３、２１１４、２１１５に接続されている２対の冷陰極管１２０の他端部は、グランドＧＮＤに接続されている。
【００４５】
バランストランス２１２の１次巻線２１２１は、インバータトランス２１１の２次巻線２１１２、２１１３に直列に接続されている。バランストランス２１３の１次巻線２１３１は、インバータトランス２１１の２次巻線２１１４、１１１５に直列に接続されている。
【００４６】
４つのバランストランス１１３、１１４、２１２、２１３の２次巻線１１３２、１１４２、２１２２、２１３２は、直列に接続されてループを形成している。４つのバランストランス１１３、１１４、２１２、２１３の２次巻線１１３２、１１４２、２１２２、２１３２のループの一部は、グランドＧＮＤに接続されている。
【００４７】
電流検出トランス１１５の１次巻線１１５１は、４つのバランストランス１１３、１１４、２１２、２１３の２次巻線１１３２、１１４２、２１２２、２１３２に直列に接続されている。電流検出トランス１１５の２次巻線１１５２は、インバータ１１１とグランドＧＮＤと間に接続されている。電流検出トランス１１５の２次巻線１１５２は、１次巻線１１５１により誘起される電流を前記電流検出値として生成しインバータ１１１に与える。
【００４８】
本発明の実施の形態２によれば、１次巻線がインバータトランスの２次巻線に直列に接続され、かつ、２次巻線が直列に接続されてループを形成し、かつ、２次巻線のループの一部がグランドＧＮＤに接続された４つのバランストランス１１３、１１４、２１２、２１３を具備しているため、４対の冷陰極管１２０に流れる電流を４つのバランストランス１１３、１１４、２１２、２１３の作用により均一に保持する。
【００４９】
また、本発明の実施の形態２によれば、４つのバランストランス１１３、１１４、２１２、２１３を具備しているため、過渡的に４対の冷陰極管１２０の一部の起動電圧が不足する時でも４つのバランストランス１１３、１１４、２１２、２１３が起動電圧の不足分を補償するから、一部の冷陰極管１２０が点灯しない状態で維持されることがない。
【００５０】
また、本発明の実施の形態２によれば、４つのバランストランス１１３、１１４、２１２、２１３を具備しているため、並列に接続された２つのインバータトランス１１２、２１１を１つのインバータで駆動することが可能である。
【００５１】
また、本発明の実施の形態２によれば、インバータトランスの２次巻線に電流検出の配線が不要であるため、インバータトランスの２次巻線を相似に配線設計をすることが容易になる。
【００５２】
（実施の形態３）
次に、本発明の実施の形態３について、図面を参照して詳細に説明する。図４は、本発明の実施の形態３に係るインバータ回路及びバックライト装置を示す回路図である。本発明の実施の形態３においては、本発明の実施の形態２と同じ構成要素には同じ参照符号を付してその説明を省略する。
【００５３】
図４に示すように、本発明の実施の形態３に係るバックライト装置３００は、インバータ回路３１０及び６対の冷陰極管（放電管）１２０を具備している。
【００５４】
インバータ回路３１０は、１つのインバータ１１１、３つのインバータトランス１１２、２１１、３１１、６つのバランストランス１１３、１１４、２１２、２１３、３１２、３１３及び電流検出トランス１１５を具備している。
【００５５】
インバータトランス３１１は、インバータ１１１の出力端子に接続されている１つの１次巻線３１１１を有している。インバータトランス３１１は、インバータ１１１に対しインバータトランス１１２、２１１と並列に接続されている。また、インバータトランス３１１は、２対の冷陰極管１２０の一端部に接続されている２対の２次巻線３１１２、３１１３、３１１４、３１１５を有している。インバータトランス３１１の２対の２次巻線３１１２、３１１３、３１１４、３１１５は、１次巻線３１１１により交流高電圧を誘起され２対の冷陰極管１２０に前記交流高電圧を供給する。２対の２次巻線３１１２、３１１３、３１１４、３１１５に接続されている２対の冷陰極管１２０の他端部は、グランドＧＮＤに接続されている。
【００５６】
バランストランス３１２の１次巻線３１２１は、インバータトランス３１１の２次巻線３１１２、３１１３に直列に接続されている。バランストランス３１３の１次巻線３１３１は、インバータトランス３１１の２次巻線３１１４、３１１５に直列に接続されている。
【００５７】
６つのバランストランス１１３、１１４、２１２、２１３、３１２、３１３の２次巻線１１３２、１１４２、２１２２、２１３２、３１２２、３１３２は、直列に接続されてループを形成している。６つのバランストランス１１３、１１４、２１２、２１３、３１２、３１３の２次巻線１１３２、１１４２、２１２２、２１３２、３１２２、３１３２のループの一部は、グランドＧＮＤに接続されている。
【００５８】
電流検出トランス１１５の１次巻線１１５１は、６つのバランストランス１１３、１１４、２１２、２１３、３１２、３１３の２次巻線１１３２、１１４２、２１２２、２１３２、３１２２、３１３２に直列に接続されている。電流検出トランス１１５の２次巻線１１５２は、インバータ１１１とグランドＧＮＤと間に接続されている。電流検出トランス１１５の２次巻線１１５２は、１次巻線１１５１により誘起される電流を前記電流検出値として生成しインバータ１１１に与える。
【００５９】
本発明の実施の形態３によれば、１次巻線がインバータトランスの２次巻線に直列に接続され、かつ、２次巻線が直列に接続されてループを形成し、かつ、２次巻線のループの一部がグランドに接続された６つのバランストランス１１３、１１４、２１２、２１３、３１２、３１３を具備しているため、６対の冷陰極管１２０に流れる電流を６つのバランストランス１１３、１１４、２１２、２１３、３１２、３１３の作用により均一に保持する。
【００６０】
また、本発明の実施の形態３によれば、６つのバランストランス１１３、１１４、２１２、２１３、３１２、３１３を具備しているため、過渡的に６対の冷陰極管１２０の一部の起動電圧が不足する時でも６つのバランストランス１１３、１１４、２１２、２１３、３１２、３１３が起動電圧の不足分を補償するから、一部の冷陰極管１２０が点灯しない状態で維持されることがない。
【００６１】
また、本発明の実施の形態３によれば、６つのバランストランス１１３、１１４、２１２、２１３、３１２、３１３を具備しているため、並列に接続された３つのインバータトランス１１２、２１１、３１１を１つのインバータで駆動することが可能である。
【００６２】
また、本発明の実施の形態３によれば、インバータトランスの２次巻線に電流検出の配線が不要であるため、インバータトランスの２次巻線を相似に配線設計をすることが容易になる。
【００６３】
（実施の形態４）
次に、本発明の実施の形態４について、図面を参照して詳細に説明する。図５は、本発明の実施の形態４に係るインバータ回路及びバックライト装置を示す回路図である。本発明の実施の形態４においては、本発明の実施の形態３と同じ構成要素には同じ参照符号を付してその説明を省略する。
【００６４】
図５に示すように、本発明の実施の形態４に係るバックライト装置４００は、インバータ回路４１０及び８対の冷陰極管（放電管）１２０を具備している。
【００６５】
インバータ回路４１０は、１つのインバータ１１１、４つのインバータトランス１１２、２１１、３１１、４１１、８つのバランストランス１１３、１１４、２１２、２１３、３１２、３１３、４１２、４１３及び電流検出トランス１１５を具備している。
【００６６】
インバータトランス４１１は、インバータ１１１の出力端子に接続されている１つの１次巻線４１１１を有している。インバータトランス４１１は、インバータ１１１に対しインバータトランス１１２、２１１、３１１と並列に接続されている。また、インバータトランス４１１は、２対の冷陰極管１２０の一端部に接続されている２対の２次巻線４１１２、４１１３、４１１４、４１１５を有している。インバータトランス４１１の２対の２次巻線４１１２、４１１３、４１１４、４１１５は、１次巻線４１１１により交流高電圧を誘起され２対の冷陰極管１２０に前記交流高電圧を供給する。２対の２次巻線４１１２、４１１３、４１１４、４１１５に接続されている２対の冷陰極管１２０の他端部は、グランドＧＮＤに接続されている。
【００６７】
バランストランス４１２の１次巻線４１２１は、インバータトランス４１１の２次巻線４１１２、４１１３に直列に接続されている。バランストランス４１３の１次巻線４１３１は、インバータトランス４１１の２次巻線４１１４、４１１５に直列に接続されている。
【００６８】
８つのバランストランス１１３、１１４、２１２、２１３、３１２、３１３、４１２、４１３の２次巻線１１３２、１１４２、２１２２、２１３２、３１２２、３１３２、４１２２、４１３２は、直列に接続されてループを形成している。８つのバランストランス１１３、１１４、２１２、２１３、３１２、３１３、４１２、４１３の２次巻線１１３２、１１４２、２１２２、２１３２、３１２２、３１３２、４１２２、４１３２のループの一部は、グランドＧＮＤに接続されている。
【００６９】
電流検出トランス１１５の１次巻線１１５１は、８つのバランストランス１１３、１１４、２１２、２１３、３１２、３１３、４１２、４１３の２次巻線１１３２、１１４２、２１２２、２１３２、３１２２、３１３２、４１２２、４１３２に直列に接続されている。電流検出トランス１１５の２次巻線１１５２は、インバータ１１１とグランドＧＮＤと間に接続されている。電流検出トランス１１５の２次巻線１１５２は、１次巻線１１５１により誘起される電流を前記電流検出値として生成しインバータ１１１に与える。
【００７０】
本発明の実施の形態４によれば、１次巻線がインバータトランスの２次巻線に直列に接続され、かつ、２次巻線が直列に接続されてループを形成し、かつ、２次巻線のループの一部がグランドに接続された８つのバランストランス１１３、１１４、２１２、２１３、３１２、３１３、４１２、４１３を具備しているため、４対の冷陰極管１２０に流れる電流を８つのバランストランス１１３、１１４、２１２、２１３、３１２、３１３、４１２、４１３の作用により均一に保持する。
【００７１】
また、本発明の実施の形態４によれば、８つのバランストランス１１３、１１４、２１２、２１３、３１２、３１３、４１２、４１３を具備しているため、過渡的に８対の冷陰極管１２０の一部の起動電圧が不足する時でも８つのバランストランス１１３、１１４、２１２、２１３、３１２、３１３、４１２、４１３が起動電圧の不足分を補償するから、一部の冷陰極管１２０が点灯しない状態で維持されることがない。
【００７２】
また、本発明の実施の形態４によれば、８つのバランストランス１１３、１１４、２１２、２１３、３１２、３１３、４１２、４１３を具備しているため、並列に接続された４つのインバータトランス１１２、２１１、３１１、４１１を１つのインバータで駆動することが可能である。
【００７３】
また、本発明の実施の形態４によれば、インバータトランスの２次巻線に電流検出の配線が不要であるため、インバータトランスの２次巻線を相似に配線設計をすることが容易になる。
【００７４】
（実施の形態５）
次に、本発明の実施の形態５について、図面を参照して詳細に説明する。図６は、本発明の実施の形態５に係るインバータ回路及びバックライト装置を示す回路図である。本発明の実施の形態５においては、本発明の実施の形態１と同じ構成要素には同じ参照符号を付してその説明を省略する。
【００７５】
図６に示すように、本発明の実施の形態５に係るバックライト装置５００は、インバータ回路５１０及び２対の冷陰極管（放電管）１２０を具備している。
【００７６】
インバータ回路５１０は、２つのインバータ１１１、５１１、２つのインバータトランス５１２、５１３、２つのバランストランス１１３、１１４及び電流検出トランス１１５を具備している。
【００７７】
インバータ１１１は、電流検出トランス１１５から帰還される電流検出値に基づいて出力信号を制御する。インバータトランス５１２は、インバータ１１１の出力端子に接続されている１つの１次巻線５１２１を有している。また、インバータトランス５１２は、１対の冷陰極管１２０の一端部に接続されている１対の２次巻線５１２２、５１２３を有している。インバータトランス５１２の１対の２次巻線５１２２、５１２３は、１次巻線５１２１により交流高電圧を誘起され１対の冷陰極管１２０に前記交流高電圧を供給する。インバータトランス５１２の１対の２次巻線５１２２、５１２３に接続されている１対の冷陰極管１２０の他端部は、グランドＧＮＤに接続されている。
【００７８】
インバータ５１１は、インバータ１１１と同じ構成を有している。インバータ５１１は、電流検出トランス１１５から帰還される電流検出値に基づいて出力信号を制御する。インバータトランス５１３は、インバータ５１１の出力端子に接続されている１つの１次巻線５１３１を有している。また、インバータトランス５１３は、１対の冷陰極管１２０の一端部に接続されている１対の２次巻線５１３２、５１３３を有している。インバータトランス５１３の１対の２次巻線５１３２、５１３３は、１次巻線５１３１により交流高電圧を誘起され１対の冷陰極管１２０に前記交流高電圧を供給する。インバータトランス５１３の１対の２次巻線５１３２、５１３３に接続されている１対の冷陰極管１２０の他端部は、グランドＧＮＤに接続されている。
【００７９】
バランストランス１１３の１次巻線１１３１は、インバータトランス５１２の２次巻線５１２２、５１２３に直列に接続されている。バランストランス１１４の１次巻線１１４１は、インバータトランス５１３の２次巻線５１３２、５１３３に直列に接続されている。
【００８０】
２つのバランストランス１１３、１１４の２次巻線１１３２、１１４２は、直列に接続されてループを形成している。２つのバランストランス１１３、１１４の２次巻線１１３２、１１４２のループの一部は、グランドＧＮＤに接続されている。
【００８１】
電流検出トランス１１５の１次巻線１１５１は、２つのバランストランス１１３、１１４の２次巻線１１３２、１１４２に直列に接続されている。電流検出トランス１１５の２次巻線１１５２は、インバータ１１１、５１１とグランドＧＮＤと間に接続されている。電流検出トランス１１５の２次巻線１１５２は、１次巻線１１５１により誘起される電流を前記電流検出値として生成しインバータ１１１、５１１に与える。インバータ５１１は、インバータ１１１と同じ動作を行う。
【００８２】
すなわち、インバータ５１１は、電流検出トランス１１５から帰還される電流検出値に基づいて出力信号の交流電圧を制御して、インバータトランス５１３の１次巻線５１３１に適正な交流電圧を与える。
【００８３】
本発明の実施の形態５によれば、１次巻線がインバータトランスの２次巻線に直列に接続され、かつ、２次巻線が直列に接続されてループを形成し、かつ、２次巻線のループの一部がグランドに接続された２つのバランストランス１１３、１１４を具備しているため、２対の冷陰極管１２０に流れる電流を２つのバランストランス１１３、１１４の作用により均一に保持する。
【００８４】
また、本発明の実施の形態５によれば、２つのバランストランス１１３、１１４を具備しているため、過渡的に２対の冷陰極管１２０の一部の起動電圧が不足する時でも２つのバランストランス１１３、１１４が起動電圧の不足分を補償するから、一部の冷陰極管１２０が点灯しない状態で維持されることがない。
【００８５】
また、本発明の実施の形態５によれば、インバータトランスの２次巻線に電流検出の配線が不要であるため、インバータトランスの２次巻線を相似に配線設計をすることが容易になる。
【００８６】
（実施の形態６）
次に、本発明の実施の形態６について、図面を参照して詳細に説明する。図７は、本発明の実施の形態６に係るインバータ回路及びバックライト装置を示す回路図である。本発明の実施の形態６においては、本発明の実施の形態２、５と同じ構成要素には同じ参照符号を付してその説明を省略する。
【００８７】
図７に示すように、本発明の実施の形態６に係るバックライト装置６００は、インバータ回路６１０及び４対の冷陰極管（放電管）１２０を具備している。
【００８８】
インバータ回路６１０は、２つのインバータ１１１、５１１、２つのインバータトランス１１２、２１１、４つのバランストランス１１３、１１４、２１２、２１３及び電流検出トランス１１５を具備している。
【００８９】
インバータトランス１１２は、インバータ１１１の出力端子に接続されている１つの１次巻線２１１１を有している。また、インバータトランス１１２は、２対の冷陰極管１２０の一端部に接続されている２対の２次巻線１１２２、１１２３、１１２４、１１２５を有している。インバータトランス１１２の２対の２次巻線１１２２、１１２３、１１２４、１１２５は、１次巻線１１２１により交流高電圧を誘起され２対の冷陰極管１２０に前記交流高電圧を供給する。２対の２次巻線１１２２、１１２３、１１２４、１１２５に接続されている２対の冷陰極管１２０の他端部は、グランドＧＮＤに接続されている。
【００９０】
インバータトランス２１１は、インバータ５１１の出力端子に接続されている１つの１次巻線２１１１を有している。また、インバータトランス２１１は、２対の冷陰極管１２０の一端部に接続されている２対の２次巻線２１１２、２１１３、２１１４、２１１５を有している。インバータトランス２１１の２対の２次巻線２１１２、２１１３、２１１４、２１１５は、１次巻線２１１１により交流高電圧を誘起され２対の冷陰極管１２０に前記交流高電圧を供給する。２対の２次巻線２１１２、２１１３、２１１４、２１１５に接続されている２対の冷陰極管１２０の他端部は、グランドＧＮＤに接続されている。
【００９１】
バランストランス１１３の１次巻線１１３１は、インバータトランス１１２の２次巻線１１２２、１１２３に直列に接続されている。バランストランス１１４の１次巻線１１４１は、インバータトランス１１２の２次巻線１１２４、１１２５に直列に接続されている。
【００９２】
バランストランス２１２の１次巻線２１２１は、インバータトランス２１１の２次巻線２１１２、２１１３に直列に接続されている。バランストランス２１３の１次巻線２１３１は、インバータトランス２１１の２次巻線２１１４、２１１５に直列に接続されている。
【００９３】
４つのバランストランス１１３、１１４、２１２、２１３の２次巻線１１３２、１１４２、２１２２、２１３２は、直列に接続されてループを形成している。４つのバランストランス１１３、１１４、２１２、２１３の２次巻線１１３２、１１４２、２１２２、２１３２のループの一部は、グランドＧＮＤに接続されている。
【００９４】
電流検出トランス１１５の１次巻線１１５１は、４つのバランストランス１１３、１１４、２１２、２１３の２次巻線１１３２、１１４２、２１２２、２１３２に直列に接続されている。電流検出トランス１１５の２次巻線１１５２は、インバータ１１１、５１１とグランドＧＮＤと間に接続されている。電流検出トランス１１５の２次巻線１１５２は、１次巻線１１５１により誘起される電流を前記電流検出値として生成しインバータ１１１、５１１に与える。
【００９５】
本発明の実施の形態６によれば、１次巻線がインバータトランスの２次巻線に直列に接続され、かつ、２次巻線が直列に接続されてループを形成し、かつ、２次巻線のループの一部がグランドに接続された４つのバランストランス１１３、１１４、２１２、２１３を具備しているため、４対の冷陰極管１２０に流れる電流を４つのバランストランス１１３、１１４、２１２、２１３の作用により均一に保持する。
【００９６】
また、本発明の実施の形態６によれば、４つのバランストランス１１３、１１４、２１２、２１３を具備しているため、過渡的に４対の冷陰極管１２０の一部の起動電圧が不足する時でも４つのバランストランス１１３、１１４、２１２、２１３が起動電圧の不足分を補償するから、一部の冷陰極管１２０が点灯しない状態で維持されることがない。
【００９７】
また、本発明の実施の形態６によれば、インバータトランスの２次巻線に電流検出の配線が不要であるため、インバータトランスの２次巻線を相似に配線設計をすることが容易になる。
【００９８】
（実施の形態７）
次に、本発明の実施の形態７について、図面を参照して詳細に説明する。図８は、本発明の実施の形態７に係るインバータ回路及びバックライト装置を示す回路図である。本発明の実施の形態７においては、本発明の実施の形態４、６と同じ構成要素には同じ参照符号を付してその説明を省略する。
【００９９】
図８に示すように、本発明の実施の形態７に係るバックライト装置７００は、インバータ回路７１０及び８対の冷陰極管（放電管）１２０を具備している。
【０１００】
インバータ回路７１０は、２つのインバータ１１１、５１１、４つのインバータトランス１１２、２１１、３１１、４１１、８つのバランストランス１１３、１１４、２１２、２１３、３１２、３１３、４１２、４１３及び電流検出トランス１１５を具備している。
【０１０１】
本発明の実施の形態７は、２つのインバータ１１１、５１１と、インバータ１１１の出力端子に並列に接続されている２つのインバータトランス１１２、２１１と、インバータ１１１の出力端子に並列に接続されている２つのインバータトランス３１１、４１１と、を具備している。この構成以外の本発明の実施の形態７の構成は、本発明の実施の形態４と同じである。
【０１０２】
インバータ５１１は、電流検出トランス１１５から帰還される電流検出値に基づいて出力信号の交流電圧を制御して、インバータトランス３１１、４１１の１次巻線３１１１、４１１１に適正な交流電圧を与える。これ以外の本発明の実施の形態７の動作は、本発明の実施の形態４と同じである。
【０１０３】
本発明の実施の形態７によれば、１次巻線がインバータトランスの２次巻線に直列に接続され、かつ、２次巻線が直列に接続されてループを形成し、かつ、２次巻線のループの一部がグランドに接続された８つのバランストランス１１３、１１４、２１２、２１３、３１２、３１３、４１２、４１３を具備しているため、８対の冷陰極管１２０に流れる電流を８つのバランストランス１１３、１１４、２１２、２１３、３１２、３１３、４１２、４１３の作用により均一に保持する。
【０１０４】
また、本発明の実施の形態７によれば、８つのバランストランス１１３、１１４、２１２、２１３、３１２、３１３、４１２、４１３を具備しているため、過渡的に８対の冷陰極管１２０の一部の起動電圧が不足する時でも８つのバランストランス１１３、１１４、２１２、２１３、３１２、３１３、４１２、４１３が起動電圧の不足分を補償するから、一部の冷陰極管１２０が点灯しない状態で維持されることがない。
【０１０５】
また、本発明の実施の形態７によれば、インバータトランスの２次巻線に電流検出の配線が不要であるため、インバータトランスの２次巻線を相似に配線設計をすることが容易になる。
【０１０６】
なお、本発明の他の実施の形態として、２つのインバータ１１１、５１１と、インバータ１１１の出力端子に並列に接続されている３又は４のインバータトランス（図４及び図５参照）と、インバータ１１１の出力端子に並列に接続されている３又は４のインバータトランスと（図４及び図５参照）を具備し、他の構成が図４及び図５に示す実施の形態を同じであるようにしてもよい。
【０１０７】
（実施の形態８）
次に、本発明の実施の形態８について、図面を参照して詳細に説明する。図９は、本発明の実施の形態８に係るインバータ回路及びバックライト装置を示す回路図である。本発明の実施の形態８においては、本発明の実施の形態４と同じ構成要素には同じ参照符号を付してその説明を省略する。
【０１０８】
図９に示すように、本発明の実施の形態８に係るバックライト装置８００は、インバータ回路８１０及び８対の冷陰極管（放電管）１２０を具備している。
【０１０９】
インバータ回路８１０は、１つのインバータ１１１、４つのインバータトランス１１２、２１１、３１１、４１１、８つのバランストランス１１３、１１４、２１２、２１３、３１２、３１３、４１２、４１３、電流検出トランス１１５及び異常検出装置８２０を具備している。すなわち、インバータ回路８１０は、本発明の実施の形態４に係るインバータ回路４１０に異常検出装置８２０を追加してなるものである。
【０１１０】
異常検出装置８２０は、インバータ回路１１０における高電圧部とグランドＧＮＤとの間の絶縁物に絶縁不良がある場合に生じるコロナ放電及びアーク放電等の高電圧異常放電を検出するものである。
【０１１１】
異常検出装置８２０は、複数のバランストランス１１３、１１４、２１２、２１３、３１２、３１３、４１２、４１３に流れる電流値に基づいて異常を検出する。
【０１１２】
異常検出装置８２０は、複数のバランストランス１１３、１１４、２１２、２１３、３１２、３１３、４１２、４１３に追加された複数の３次巻線８１１、８１２、８１３、８１４、８１５、８１６、８１７、８１８と、ダイオード８２１、８２２、８２３、８２４と、異常検出器８２５と、報知装置８２６と、を具備している。
【０１１３】
複数の３次巻線８１１、８１２、８１３、８１４、８１５、８１６、８１７、８１８は、当該複数の３次巻線のうち隣り合う１対の３次巻線に発生する交流電圧を互いに相殺するように当該１対の３次巻線が直列に接続され当該１対の３次巻線の直列接続体の一端が前記２次巻線のループに接続されている。
【０１１４】
すなわち、隣り合う１対の３次巻線８１１、８１２は、当該１対の３次巻線８１１、８１２に発生する交流電圧を互いに相殺するように当該１対の３次巻線８１１、８１２が直列に接続されている。そして、当該１対の３次巻線８１１、８１２の直列接続体の一端が２次巻線１１３２、１１４２、２１２２、２１３２、３１２２、３１３２、４１２２、４１３２のループに接続されている。
【０１１５】
また、隣り合う１対の３次巻線８１３、８１４は、当該１対の３次巻線８１３、８１４に発生する交流電圧を互いに相殺するように当該１対の３次巻線８１３、８１４が直列に接続されている。そして、当該１対の３次巻線８１３、８１４の直列接続体の一端が２次巻線１１３２、１１４２、２１２２、２１３２、３１２２、３１３２、４１２２、４１３２のループに接続されている。
【０１１６】
また、隣り合う１対の３次巻線８１５、８１６は、当該１対の３次巻線８１５、８１６に発生する交流電圧を互いに相殺するように当該１対の３次巻線８１５、８１６が直列に接続されている。そして、当該１対の３次巻線８１５、８１６の直列接続体の一端が２次巻線１１３２、１１４２、２１２２、２１３２、３１２２、３１３２、４１２２、４１３２のループに接続されている。
【０１１７】
また、隣り合う１対の３次巻線８１７、８１８は、当該１対の３次巻線８１７、８１８に発生する交流電圧を互いに相殺するように当該１対の３次巻線８１７、８１８が直列に接続されている。そして、当該１対の３次巻線８１７、８１８の直列接続体の一端が２次巻線１１３２、１１４２、２１２２、２１３２、３１２２、３１３２、４１２２、４１３２のループに接続されている。
【０１１８】
ダイオード８２１、８２２、８２３、８２４は、前記１対の３次巻線の前記直列接続体の一端に入力端子が接続されて当該１対の３次巻線の前記直列接続体に流れる電流を検出して電流検出値を生成する。
【０１１９】
すなわち、ダイオード８２１は、隣り合う１対の３次巻線８１１、８１２の前記直列接続体の一端に入力端子が接続されて当該１対の３次巻線８１１、８１２の前記直列接続体に流れる電流を検出して電流検出値を生成する。
【０１２０】
また、ダイオード８２２は、隣り合う１対の３次巻線８１３、８１４の前記直列接続体の一端に入力端子が接続されて当該１対の３次巻線８１３、８１４の前記直列接続体に流れる電流を検出して電流検出値を生成する。
【０１２１】
また、ダイオード８２３は、隣り合う１対の３次巻線８１５、８１６の前記直列接続体の一端に入力端子が接続されて当該１対の３次巻線８１５、８１６の前記直列接続体に流れる電流を検出して電流検出値を生成する。
【０１２２】
また、ダイオード８２４は、隣り合う１対の３次巻線８１７、８１８の前記直列接続体の一端に入力端子が接続されて当該１対の３次巻線８１７、８１８の前記直列接続体に流れる電流を検出して電流検出値を生成する。
【０１２３】
異常検出器８２５は、ダイオード８２１、８２２、８２３、８２４の出力端子に接続され当該ダイオード８２１、８２２、８２３、８２４に流れる電流検出値又は当該電流検出値を変換して求められる電圧検出値と所定の閾値とを比較して異常であるか否かを判断して判断結果を生成する。
【０１２４】
次に、異常検出器８２５の１つの具体例について、図１０を参照して説明する。図１０は、異常検出器８２５の１つの具体例を示すブロック図である。
【０１２５】
図１０に示すように、異常検出器８２５は、電流電圧変換回路８２５１、基準電圧発生回路８２５２及び比較回路８２５３を具備している。
【０１２６】
電流電圧変換回路８２５１の入力端子は、ダイオード８２１、８２２、８２３、８２４の出力端子に接続されている。電流電圧変換回路８２５１の出力端子は、比較回路８２５３の１つの入力端子に接続されている。基準電圧発生回路８２５２の出力端子は、比較回路８２５３の他の入力端子に接続されている。比較回路８２５３の出力端子は、報知装置８２６の入力端子に接続されている。
【０１２７】
電流電圧変換回路８２５１は、ダイオード８２１、８２２、８２３、８２４からの電流検出値を変換して電圧検出値を生成して比較回路８２５３に与える。基準電圧発生回路８２５２は、基準電圧を発生して比較回路８２５３に与える。比較回路８２５３は、電流電圧変換回路８２５１からの電圧検出値と基準電圧発生回路８２５２からの基準電圧とを比較して比較結果を生成して報知装置８２６に与える。報知装置８２６は、比較回路８２５３からの比較結果を報知する。報知装置８２６は、例えば、比較結果が異常であるか否かを表示装置（図示せず）に表示するように構成される。
【０１２８】
なお、本発明の他の実施の形態として、実施の形態４以外の前記実施の形態において、異常検出装置８２０を追加してなるものでもよい。
【０１２９】
次に、本発明の実施の形態８によれば、前記実施の形態の効果に加えて、異常検出装置８２０が異常を検出して報知することができる。
【０１３０】
（実施の形態９）
次に、本発明の実施の形態９について、図面を参照して詳細に説明する。図１１は、本発明の実施の形態９に係るインバータ回路及びバックライト装置のインバータトランスの巻線の状態を示す平面図である。本発明の実施の形態９においては、本発明の実施の形態１と同じ構成要素には同じ参照符号を付してその説明を省略する。
【０１３１】
本発明の実施の形態９に係るインバータ回路及びバックライト装置は、図１に示す本発明の実施の形態１と同じ構成要素を具備している。
【０１３２】
図１１に示すように、インバータトランス１１２の２対の２次巻線１１２２、１１２３、１１２４、１１２５における複数の冷陰極管１２０と接続のための放電管用接続ピン１１２２ａ、１１２３ａ、１１２４ａ、１１２５ａは、インバータトランス１１２の一方の側に配置されている。
【０１３３】
そして、インバータトランス１１２の２対の２次巻線１１２２、１１２３、１１２４、１１２５における複数のバランストランス１１３、１１４と接続のためのバランストランス用接続ピン１１２２ｂ、１１２３ｂ、１１２４ｂ、１１２５ｂは、インバータトランス１１２の放電管用接続ピン１１２２ａ、１１２３ａ、１１２４ａ、１１２５ａとは反対の側に配置されている。また、インバータトランス１１２の１次巻線１１２１におけるインバータ１１１とのインバータ用接続ピン１１２１ａ、１１２１ｂは、インバータトランス１１２の放電管用接続ピン１１２２ａ、１１２３ａ、１１２４ａ、１１２５ａとは反対の側に配置されている。
【０１３４】
なお、本発明の実施の形態９は、実施の形態１以外の前記実施の形態に適用することができる。
【０１３５】
本発明の実施の形態９によれば、前記実施の形態の効果に加えて、バランストランス用接続ピンがインバータトランスの放電管用接続ピンとは反対の側に配置されているため、放電管用接続ピンに誘起される高電圧の影響をバランストランス用接続ピンが受けるのを防止することができる。
【０１３６】
請求項１から請求項１３に係る発明によれば、複数対の放電管に流れる電流を複数のバランストランスの作用により均一に保持し、過渡的に複数対の放電管の一部の起動電圧が不足する時でも複数のバランストランスが起動電圧の不足分を補償するから一部の放電管が点灯しない状態で維持されることを防止し、かつ、インバータトランスの２次巻線に電流検出の配線が不要であるためインバータトランスの２次巻線を相似に配線設計をすることが容易になる。
【０１３７】
また、請求項１４及び請求項１５に係る発明によれば、複数対の放電管に流れる電流を複数のバランストランスの作用により均一に保持し、過渡的に複数対の放電管の一部の起動電圧が不足する時でも複数のバランストランスが起動電圧の不足分を補償するから一部の放電管が点灯しない状態で維持されることを防止し、インバータトランスの２次巻線に電流検出の配線が不要であるためインバータトランスの２次巻線を相似に配線設計をすることが容易になり、かつ、異常を検出して報知することができる。
【０１３８】
また、請求項１６から請求項１８に係る発明によれば、複数対の放電管に流れる電流を複数のバランストランスの作用により均一に保持し、過渡的に複数対の放電管の一部の起動電圧が不足する時でも複数のバランストランスが起動電圧の不足分を補償するから一部の放電管が点灯しない状態で維持されることを防止し、インバータトランスの２次巻線に電流検出の配線が不要であるためインバータトランスの２次巻線を相似に配線設計をすることが容易になり、かつ、放電管用接続ピンに誘起される高電圧の影響をバランストランス用接続ピンが受けるのを防止することができる。
【０１３９】
また、請求項１９及び請求項２０に係る発明によれば、複数対の放電管に流れる電流を複数のバランストランスの作用により均一に保持し、過渡的に複数対の放電管の一部の起動電圧が不足する時でも複数のバランストランスが起動電圧の不足分を補償するから一部の放電管が点灯しない状態で維持されることを防止し、かつ、インバータトランスの２次巻線に電流検出の配線が不要であるためインバータトランスの２次巻線を相似に配線設計をすることが容易になる。
【図面の簡単な説明】
【０１４０】
【図１】本発明の実施の形態１に係るインバータ回路及びバックライト装置を示す回路図である。
【図２】本発明の実施の形態１に係るインバータを示すブロック図である。
【図３】本発明の実施の形態２に係るインバータ回路及びバックライト装置を示す回路図である。
【図４】本発明の実施の形態３に係るインバータ回路及びバックライト装置を示す回路図である。
【図５】本発明の実施の形態４に係るインバータ回路及びバックライト装置を示す回路図である。
【図６】本発明の実施の形態５に係るインバータ回路及びバックライト装置を示す回路図である。
【図７】本発明の実施の形態６に係るインバータ回路及びバックライト装置を示す回路図である。
【図８】本発明の実施の形態７に係るインバータ回路及びバックライト装置を示す回路図である。
【図９】本発明の実施の形態８に係るインバータ回路及びバックライト装置を示す回路図である。
【図１０】本発明の実施の形態８に係るインバータ回路及びバックライト装置の異常検出装置を示すブロック図である。
【図１１】本発明の実施の形態９に係るインバータ回路及びバックライト装置のインバータトランスの巻線の状態を示す平面図である。
【図１２】従来のインバータ回路を示す回路図である。
【符号の説明】
【０１４１】
１００、２００、３００、４００、５００、６００、７００、８００  バックライト装置
１１０、２１０、３１０、４１０、５１０、６１０、７１０，８１０  インバータ回路
１２０  冷陰極管（放電管）
１１１、５１１  インバータ
１１２、２１１、３１１、４１１、５１２、５１３  インバータトランス
１１３、１１４、２１２、２１３、３１２、３１３、４１２、４１３  バランストランス
１１５  電流検出トランス
８１１、８１２、８１３、８１４、８１５、８１６、８１７、８１９  ３次巻線
８２０  異常検出装置
８２１、８２２、８２３、８２４  タイオード
８２５  異常検出器
８２６  報知装置
１１２２ａ、１１２３ａ、１１２４ａ、１１２５ａ  放電管用接続ピン
１１２２ｂ、１１２３ｂ、１１２４ｂ、１１２５ｂ  バランストランス用接続ピン
【図１】
2008066256.tif 000003
【図２】
2008066256.tif 000004
【図３】
2008066256.tif 000005
【図４】
2008066256.tif 000006
【図５】
2008066256.tif 000007
【図６】
2008066256.tif 000008
【図７】
2008066256.tif 000009
【図８】
2008066256.tif 000010
【図９】
2008066256.tif 000011
【図１０】
2008066256.tif 000012
【図１１】
2008066256.tif 000013
【図１２】
2008066256.tif 000014